(57)【要約】  ホスト装置が送受信補強装置を介してディスプレイ装置にデジタル映像データを伝送するデジタル映像システムにおいて、送受信補強装置の外部電源が弱まる場合に、デジタル映像データの伝送が円滑ではなく、前記外部電源が遮断される場合に、デジタル映像データの伝送が遂行されえない。よって、ホスト装置、送受信補強装置及びディスプレイ装置を具備するデジタル映像システムを提供する。該送受信補強装置は、第１電源供給スイッチング部及び／または第２電源供給スイッチング部を含む。第１電源供給スイッチング部及び第２電源供給スイッチング部それぞれは、外部−電源入力端子、内部−電源入力端子、電源出力端子及びスイッチを含む。外部−電源入力端子には、別途の外部電源電圧が入力される。内部−電源入力端子は、ホスト装置とディスプレイ装置との間の通信線路のうち、いずれか１本の内部電源線路と連結される。電源出力端子では、外部−電源入力端子からの外部−電源電圧または内部−電源入力端子からの内部−電源電圧が出力される。スイッチは外部−電源入力端子からの外部−電源電圧が設定電圧より低くなれば、オン状態となる。また、スイッチがオフ状態である間に、外部−電源電圧が電源出力端子に印加され、スイッチがオン状態である間に、内部−電源入力端子からの内部−電源電圧が電源出力端子に印加される。
2010516075.tif 000002
【特許請求の範囲】
【請求項１】
ホスト装置、送受信補強装置及びディスプレイ装置が備わり、前記ホスト装置が前記送受信補強装置を介して、前記ディスプレイ装置にデジタル映像データを伝送するデジタル映像システムにおいて、
前記送受信補強装置が第１電源供給スイッチング部及び／または第２電源供給スイッチング部を含み、
前記第１電源供給スイッチング部及び第２電源供給スイッチング部それぞれが、
別途の外部電源電圧が入力される外部−電源入力端子と、
前記ホスト装置とディスプレイ装置との間の通信線路のうち、いずれか１本の内部電源線路と連結される内部−電源入力端子と、
前記外部−電源入力端子からの外部−電源電圧または前記内部−電源入力端子からの内部−電源電圧が出力される電源出力端子と、
前記外部−電源入力端子からの外部−電源電圧が設定電圧より低くなればオン状態になるスイッチとを含み、
前記スイッチがオフ状態である間に、前記外部−電源電圧が前記電源出力端子に印加され、前記スイッチがオン状態である間に、前記内部−電源入力端子からの内部−電源電圧が前記電源出力端子に印加されるデジタル映像システム。
【請求項２】
前記電源供給スイッチング部で、
前記スイッチがｐ−チャンネル電界効果トランジスタであり、
前記外部−電源入力端子が第１ダイオードのアノードと、前記ｐ−チャンネル電界効果トランジスタのゲートとにそれぞれ連結され、
前記第１ダイオードのカソードが前記電源出力端子に連結され、
前記内部−電源入力端子が前記ｐ−チャンネル電界効果トランジスタのソースに連結され、
前記ｐ−チャンネル電界効果トランジスタのドレインが第２ダイオードのアノードに連結され、
前記第２ダイオードのカソードが前記電源出力端子に連結されたことを特徴とする請求項１に記載のデジタル映像システム。
【請求項３】
前記ディスプレイ装置のＥＤＩＤ（extended display identification data）がＩ２Ｃ（inter-integrated circuit）通信プロトコルによって、前記送受信補強装置を介して、前記ホスト装置に伝送され、
前記ホスト装置が前記ＥＤＩＤによって、前記ディスプレイ装置にデジタル映像データを伝送することを特徴とする請求項１に記載のデジタル映像システム。
【請求項４】
前記ホスト装置が、
オーディオデータ、クロック信号及び前記デジタル映像データをＨＤＭＩ（high definition multimedia interface）形式によってＴＭＤＳ（transition minimized differential signaling）信号に変換し、前記送受信補強装置に出力するＨＤＭＩ送信部と、
前記ＥＤＩＤによって、前記ＨＤＭＩ送信部の動作を制御するグラフィック制御部とを含み、
前記ディスプレイ装置が、
前記ＥＤＩＤを保存し、Ｉ２Ｃ通信プロトコルによって、前記ホスト装置内のグラフィック制御部に前記ＥＤＩＤを提供するメモリと、
前記送受信補強装置からのＨＤＭＩ形式のＴＭＤＳ信号を、前記オーディオデータ、クロック信号及びデジタル映像データに復元するＨＤＭＩ受信部とを含んだことを特徴とする請求項３に記載のデジタル映像システム。
【請求項５】
前記ホスト装置が、
クロック信号及び前記デジタル映像データをＤＶＩ（digital visual interface）形式によってＴＭＤＳ信号に変換し、前記送受信補強装置に出力するＴＭＤＳ送信部と、
前記ＥＤＩＤによって、前記ＴＭＤＳ送信部の動作を制御するグラフィック制御部とを含み、
前記ディスプレイ装置が、
前記ＥＤＩＤを保存し、Ｉ２Ｃ通信プロトコルによって、前記ホスト装置内のグラフィック制御部に前記ＥＤＩＤを提供するメモリと、
前記送受信補強装置からのＤＶＩ形式のＴＭＤＳ信号を、前記クロック信号及びデジタル映像データに復元するＴＭＤＳ受信部とを含んだことを特徴とする請求項３に記載のデジタル映像システム。
【請求項６】
前記内部−電源入力端子と連結される前記内部電源線路が、
前記ディスプレイ装置からのＨＰＤ信号用電圧が印加される線路であることを特徴とする請求項３に記載のデジタル映像システム。
【請求項７】
前記内部−電源入力端子と連結される前記内部電源線路が、
前記ホスト装置側の予備端子と、前記ディスプレイ装置側の予備端子との間に連結される予備線路であって、
前記ディスプレイ装置側の予備端子を介して、前記内部−電源電圧が前記予備線路に印加されることを特徴とする請求項３に記載のデジタル映像システム。
【請求項８】
前記送受信補強装置が、
光ケーブルと、
前記第１電源供給スイッチング部から電源電圧を供給されて動作し、前記ホスト装置からの前記デジタル映像データ、及び前記Ｉ２Ｃ通信用クロック信号並びにＩ２Ｃ通信用データを、光信号に変換して前記光ケーブルに出力し、前記光ケーブルからの前記Ｉ２Ｃ通信用データを電気信号に変換して前記ホスト装置に提供する送信部と、
前記第２電源供給スイッチング部から電源電圧を供給されて動作し、前記光ケーブルからの光信号を、前記デジタル映像データ、及び前記Ｉ２Ｃ通信用クロック信号並びにＩ２Ｃ通信用データに変換して前記ディスプレイ装置に提供し、前記ディスプレイ装置からの前記Ｉ２Ｃ通信用データを光信号に変換して前記光ケーブルに出力する受信部とを含んだ光ケーブルモジュールであることを特徴とする請求項３に記載のデジタル映像システム。
【請求項９】
前記送受信補強装置が、
光ケーブルと、
前記第１電源供給スイッチング部から電源電圧を供給されて動作し、前記ホスト装置からの前記デジタル映像データを、光信号に変換して前記光ケーブルに出力し、前記ホスト装置からの前記Ｉ２Ｃ通信用クロック信号並びにＩ２Ｃ通信用データをバッファリングして電気ケーブルに出力し、前記電気ケーブルからの前記Ｉ２Ｃ通信用データをバッファリングして前記ホスト装置に提供する送信部と、
前記第２電源供給スイッチング部から電源電圧を供給されて動作し、前記光ケーブルからの光信号を、前記デジタル映像データに変換して前記ディスプレイ装置に提供し、前記電気ケーブルからの前記Ｉ２Ｃ通信用クロック信号並びにＩ２Ｃ通信用データをバッファリングして前記ディスプレイ装置に提供し、前記ディスプレイ装置からの前記Ｉ２Ｃ通信用データをバッファリングして前記電気ケーブルに出力する受信部とを含んだ光ケーブルモジュールであることを特徴とする請求項３に記載のデジタル映像システム。
【請求項１０】
前記送受信補強装置が、
前記第１電源供給スイッチング部から電源電圧を供給されて動作し、前記ホスト装置からの前記デジタル映像データを増幅して電気ケーブルに出力し、前記ホスト装置からの前記Ｉ２Ｃ通信用クロック信号並びにＩ２Ｃ通信用データをバッファリングして前記電気ケーブルに出力し、前記電気ケーブルからの前記Ｉ２Ｃ通信用データをバッファリングして前記ホスト装置に提供する送信部と、
前記第２電源供給スイッチング部から電源電圧を供給されて動作し、前記電気ケーブルからのデジタル映像データを増幅して前記ディスプレイ装置に提供し、前記電気ケーブルからの前記Ｉ２Ｃ通信用クロック信号並びにＩ２Ｃ通信用データをバッファリングして前記ディスプレイ装置に提供し、前記ディスプレイ装置からの前記Ｉ２Ｃ通信用データをバッファリングして前記電気ケーブルに出力する受信部とを含んだリピータであることを特徴とする請求項３に記載のデジタル映像システム。
【請求項１１】
前記送受信補強装置が、
前記第２電源供給スイッチング部から電源電圧を供給されて動作し、電気ケーブルからのデジタル映像データの減衰された信号を復元して前記ディスプレイ装置に提供し、前記電気ケーブルからの前記Ｉ２Ｃ通信用クロック信号並びにＩ２Ｃ通信用データをバッファリングして前記ディスプレイ装置に提供し、前記ディスプレイ装置からの前記Ｉ２Ｃ通信用データをバッファリングして前記電気ケーブルに出力するイコライザ装置であることを特徴とする請求項３に記載のデジタル映像システム。
【発明の詳細な説明】
【技術分野】
【０００１】
本発明は、デジタル映像データを伝送するデジタル映像システムに係り、さらに詳細には、ＨＤＭＩ（high definition multimedia interface）またはＤＶＩ（digital visual interface）形式のデジタル映像システムに関する。
【背景技術】
【０００２】
図１を参照すれば、基本的なＨＤＭＩ形式のデジタル映像システムは、ホスト装置１１、ディスプレイ装置１２及び電気ケーブルを含む。ここで、電気ケーブルは、ホスト装置１１の入出力端子ＴＨ１ないしＴＨ１４と、ディスプレイ装置１２の入出力端子ＴＤ１ないしＴＤ１４との間に連結される。
【０００３】
ホスト装置１１は、ＨＤＭＩ送信部１１１及びグラフィック制御部１１２を含む。ディスプレイ装置１２は、直列ＥＥＰＲＯＭ（electrically erasable and programmable read only memory）１２２及びＨＤＭＩ受信部１２１を含む。
【０００４】
ホスト装置１１内のＨＤＭＩ送信部１１１は、オーディオデータＳＡＵＤ、クロック信号ＳＣＳ及びデジタル映像データＳＶＩＤをＨＤＭＩ形式によって、ＴＭＤＳ（transition minimized differential signaling）信号に変換してディスプレイ装置１２に出力する。
【０００５】
さらに詳細には、オーディオデータＳＡＵＤとデジタル映像データＳＶＩＤは、ＨＤＭＩ送信部１１１で処理され、２チャンネルの赤色信号ＳＲ＋，ＳＲ−、２チャンネルの緑色信号ＳＧ＋，ＳＧ−そして２チャンネルの青色信号ＳＢ＋，ＳＢ−として出力される。クロック信号ＳＣＳは、ＨＤＭＩ送信部１１１で処理され、２チャンネルのクロック信号ＣＬＫ＋，ＣＬＫ−として出力される。
【０００６】
ディスプレイ装置１２内の直列ＥＥＰＲＯＭ １２２は、ディスプレイ装置１２のＥＤＩＤ（extended display identification data）を保存し、Ｉ２Ｃ（inter-integrated circuit）通信プロトコルによって、ホスト装置１１内のグラフィック制御部１１２にＥＤＩＤを提供する。
【０００７】
前記のようなＩ２Ｃ通信において、グラフィック制御部１１２は、クロック信号ＳＣＬを直列ＥＥＰＲＯＭ １２２に伝送しつつ、直列ＥＥＰＲＯＭ １２２とデータ信号ＳＤＡをやり取りする。グラフィック制御部１１２は、直列ＥＥＰＲＯＭ １２２の動作のために、直列ＥＥＰＲＯＭ １２２に電源電位（＋５Ｖ）と接地電位ＧＮＤとを提供する。ディスプレイ装置１２は、ＨＰＤ（hot plug detect）信号用電圧ＨＰＤをグラフィック制御部１１２に印加し、これによって、グラフィック制御部１１２は、ディスプレイ装置１２と連結されたことを感知する。使われていない予備端子ＴＨ１４，ＴＤ１４は、ＮＣ（no connection）端子と呼ばれる。
【０００８】
ホスト装置１１内のグラフィック制御部１１２は、ＥＤＩＤによって、ＨＤＭＩ送信部１１１の動作を制御する。
【０００９】
ディスプレイ装置１２内のＨＤＭＩ受信部１２１は、ホスト装置１１からのＨＤＭＩ形式のＴＭＤＳ信号をオーディオデータＳＡＵＤ、クロック信号ＳＣＳ及びデジタル映像データＳＶＩＤに復元する。
【００１０】
図２は、一般的なＤＶＩ（digital visual interface）形式のデジタル映像システムを示している。図２で、図１と同じ参照符号は、同じ機能の対象を示す。図１のシステムに対する図２のシステムの差異点だけについて説明すれば、次の通りである。図２を参照すれば、基本的なＤＶＩ形式のデジタル映像システムは、ホスト装置２１、ディスプレイ装置２２及び電気ケーブルを含む。ここで、電気ケーブルは、ホスト装置２１の入出力端子ＴＨ１ないしＴＨ１４と、ディスプレイ装置２２の入出力端子ＴＤ１ないしＴＤ１４との間に連結される。
【００１１】
ホスト装置２１は、ＴＭＤＳ送信部２１１及びグラフィック制御部２１２を含む。ディスプレイ装置２２は、直列ＥＥＰＲＯＭ ２２２及びＴＭＤＳ受信部２２１を含む。
【００１２】
ホスト装置２１内のＴＭＤＳ送信部２１１は、クロック信号ＳＣＳ及びデジタル映像データＳＶＩＤをＤＶＩ形式によってＴＭＤＳ信号に変換し、ディスプレイ装置２２に出力する。
【００１３】
ディスプレイ装置２２内の直列ＥＥＰＲＯＭ ２２２は、ディスプレイ装置２２のＥＤＩＤを保存し、Ｉ２Ｃ通信プロトコルによって、ホスト装置２１内のグラフィック制御部２１２にＥＤＩＤを提供する。
【００１４】
ホスト装置２１内のグラフィック制御部２１２は、ＥＤＩＤによってＴＭＤＳ送信部２１１の動作を制御する。
【００１５】
ディスプレイ装置２２内のＴＭＤＳ受信部２２１は、ホスト装置２１からのＤＶＩ形式のＴＭＤＳ信号をクロック信号ＳＣＳ及びデジタル映像データＳＶＩＤに復元する。
【００１６】
前記図１または図２のようなデジタル映像システムにおいて、ホスト装置１１，２１とディスプレイ装置１２，２２との間の最長距離は１０メートルほどに制限される。ホスト装置１１，２１とディスプレイ装置１２，２２との間が長距離である場合、光ケーブルモジュール、リピータ（repeater）、またはイコライザ（equalizer）のような送受信補強装置が必要である。
【００１７】
このように、ホスト装置１１，２１が送受信補強装置を介してディスプレイ装置１２，２２にデジタル映像データを伝送するデジタル映像システムにおいて、送受信補強装置の外部電源が弱まる場合に、デジタル映像データの伝送が円滑ではなく、前記外部電源が遮断される場合に、デジタル映像データの伝送が遂行されえないという問題点がある。
【発明の概要】
【発明が解決しようとする課題】
【００１８】
本発明の目的は、ホスト装置が送受信補強装置を介してディスプレイ装置に、デジタル映像データを伝送するデジタル映像システムにおいて、送受信補強装置の外部電源が弱まったり遮断されるにもかかわらず、デジタル映像データの伝送が円滑に維持されうるデジタル映像システムを提供することである。
【課題を解決するための手段】
【００１９】
本発明のデジタル映像システムは、ホスト装置、送受信補強装置及びディスプレイ装置を具備する。前記ホスト装置は、前記送受信補強装置を介して前記ディスプレイ装置に、デジタル映像データを伝送する。
【００２０】
前記送受信補強装置は、第１電源供給スイッチング部及び／または第２電源供給スイッチング部を含む。前記第１電源供給スイッチング部及び第２電源供給スイッチング部それぞれは、外部−電源入力端子、内部−電源入力端子、電源出力端子及びスイッチを含む。
【００２１】
前記外部−電源入力端子には、別途の外部電源電圧が入力される。前記内部−電源入力端子は、前記ホスト装置とディスプレイ装置との間の通信線路のうち、いずれか１本の内部電源線路と連結される。前記電源出力端子では、前記外部−電源入力端子からの外部−電源電圧、または前記内部−電源入力端子からの内部−電源電圧が出力される。前記スイッチは、前記外部−電源入力端子からの外部−電源電圧が設定電圧より低くなれば、オン（on）状態となる。
【００２２】
また、前記スイッチがオフ（off）状態である間に、前記外部−電源電圧が前記電源出力端子に印加され、前記スイッチがオン状態である間に、前記内部−電源入力端子からの内部−電源電圧が前記電源出力端子に印加される。
【発明の効果】
【００２３】
本発明の前記デジタル映像システムによれば、外部−電源電圧が印加される場合、前記外部−電源電圧によって、送受信補強装置が動作する。また、前記外部−電源電圧が設定電圧より低くなったり、または印加されていない場合、前記ホスト装置とディスプレイ装置との間の通信線路のうち、いずれか１本の内部電源線路からの内部−電源電圧によって、前記送受信補強装置が動作する。
【００２４】
これによって、前記送受信補強装置の外部電源が弱まったり、または遮断されるにもかかわらず、デジタル映像データの伝送が円滑に維持されうる。
【図面の簡単な説明】
【００２５】
【図１】基本的なＨＤＭＩ（high definition multimedia interface）形式のデジタル映像システムを示す図面である。
【図２】基本的なＤＶＩ（digital visual interface）形式のデジタル映像システムを示す図面である。
【図３】本発明の第１実施形態による、図１または図２のホスト装置とディスプレイ装置との間に介在される送受信補強装置としての光ケーブルモジュールを示す図面である。
【図４】図３の送受信補強装置に含まれた第１電源供給スイッチング部、または第２電源供給スイッチング部の内部回路を示す図面である。
【図５】本発明の第２実施形態による、図１または図２のホスト装置とディスプレイ装置との間に介在される送受信補強装置としての光ケーブルモジュールを示す図面である。
【図６】本発明の第３実施形態による、図１または図２のホスト装置とディスプレイ装置との間に介在される送受信補強装置としての光ケーブルモジュールを示す図面である。
【図７】本発明の第４実施形態による、図１または図２のホスト装置とディスプレイ装置との間に介在される送受信補強装置としてのリピータを示す図面である。
【図８】本発明の第５実施形態による、図１または図２のホスト装置とディスプレイ装置との間に介在される送受信補強装置としてのイコライザ装置を示す図面である。
【発明を実施するための形態】
【００２６】
図３は、本発明の第１実施形態による、図１または図２のホスト装置とディスプレイ装置との間に介在される送受信補強装置としての光ケーブルモジュールを示している。図３で、図１または図２と同じ参照符号は、同じ機能の対象を示す。前述のような図１または図２の基本的なデジタル映像システムは、本発明の第１実施形態に同一に適用されるので、その説明を省略する。
【００２７】
図１ないし図３を参照すれば、本発明の第１実施形態のデジタル映像システムに含まれた送受信補強装置は、光ケーブルＴＨ１５−ＴＤ１５ないしＴＨ２１−ＴＤ２１、送信部３１及び受信部３２を含んだ光ケーブルモジュールである。図３で、参照符号ＬＨ１ないしＬＨ６及びＬＤ１は発光ダイオードを、そしてＰＤ１ないしＰＤ６及びＰＨ１は受光ダイオードを示す。
【００２８】
送信部３１は、第１電源供給スイッチング部３１２から電源電圧Ｖｃｃを供給されて動作し、ホスト装置１１または２１からのデジタル映像データＳＲ＋ないしＣＬＫ−、及びＩ２Ｃ通信用クロック信号ＳＣＬ並びにＩ２Ｃ通信用データＳＤＡを、発光駆動部３１１によって光信号ＳＲないしＳＤＡＲに変換し、光ケーブルＴＨ１５−ＴＤ１５ないしＴＨ２０−ＴＤ２０に出力し、光ケーブルＴＨ２１−ＴＤ２１からのＩ２Ｃ通信用データＳＤＡＬを電気信号に変換してホスト装置１１または２１に提供する。
【００２９】
受信部３２は、第２電源供給スイッチング部３２２から電源電圧Ｖｃｃを供給されて動作し、光ケーブルＴＨ１５−ＴＤ１５ないしＴＨ２０−ＴＤ２０からの光信号ＳＲないしＳＤＡＲを受光増幅部３２１によって、前記デジタル映像データＳＲ＋ないしＣＬＫ−、及び前記Ｉ２Ｃ通信用クロック信号ＳＣＬ並びに前記Ｉ２Ｃ通信用データＳＤＡに変換してディスプレイ装置１２または２２に提供し、ディスプレイ装置１２または２２からのＩ２Ｃ通信用データＳＤＡを光信号ＳＤＡＬに変換して光ケーブルＴＨ２１−ＴＤ２１に出力する。
【００３０】
図４は、図３の送受信補強装置に含まれた第１電源供給スイッチング部３１２または第２電源供給スイッチング部３２２の内部回路を示している。
【００３１】
図１ないし図４を参照すれば、第１電源供給スイッチング部３１２または第２電源供給スイッチング部３２２は、外部−電源入力端子ＶＥＸＴ、内部−電源入力端子ＨＰＤ、電源出力端子Ｖｃｃ、及びスイッチとしてのｐ−チャンネル電界効果トランジスタＴＲＰを含む。
【００３２】
別途の外部電源電圧が入力される外部−電源入力端子ＶＥＸＴは、第１ダイオードＳＰＲＤＬのアノードと、ｐ−チャンネル電界効果トランジスタＴＲＰのゲートとにそれぞれ連結される。第１ダイオードＳＰＲＤＬのカソードは、電源出力端子Ｖｃｃに連結される。内部−電源入力端子ＨＰＤは、通信線路のうち、ディスプレイ装置１２または２２からのＨＰＤ（hot plug detect）信号用電圧が印加される線路ＴＨ１３−ＴＤ１３に連結される。また、内部−電源入力端子ＨＰＤは、ｐ−チャンネル電界効果トランジスタＴＲＰのソースに連結される。ｐ−チャンネル電界効果トランジスタＴＲＰのドレインは、第２ダイオードＳＰＲＤＵのアノードに連結される。第２ダイオードＳＰＲＤＵのカソードは、電源出力端子Ｖｃｃに連結される。
【００３３】
ｐ−チャンネル電界効果トランジスタＴＲＰは、外部−電源入力端子ＶＥＸＴからの外部−電源電圧が設定電圧より低くなれば、オン（on）状態となる。また、ｐ−チャンネル電界効果トランジスタＴＲＰがオフ（off）状態である間に、外部−電源電圧が電源出力端子Ｖｃｃに印加され、ｐ−チャンネル電界効果トランジスタＴＲＰがオン状態である間に、内部−電源入力端子ＨＰＤからの内部−電源電圧が電源出力端子Ｖｃｃに印加される。
【００３４】
すなわち、外部−電源電圧が印加される場合、外部−電源電圧によって、図３の送受信補強装置が動作する。また、外部−電源電圧が設定電圧より低くなったり、または印加されていない場合、ホスト装置１１または２１と、ディスプレイ装置１２または２２との間の通信線路のうち、ＨＰＤ（hot plug detect）信号用電圧によって、図３の送受信補強装置が動作する。
【００３５】
これによって、図３の送受信補強装置の外部電源が弱まったり、または遮断されるにもかかわらず、デジタル映像データの伝送が円滑に維持されうる。
【００３６】
図５は、本発明の第２実施形態による、図１または図２のホスト装置１１または２１と、ディスプレイ装置１２または２２との間に介在される送受信補強装置としての光ケーブルモジュールを示している。図５で、第１電源供給スイッチング部５１２及び第２電源供給スイッチング部５２２の内部回路は、図４を参照して説明したところと同一である。
【００３７】
図５で、図３と同じ参照符号は、同じ機能の対象を示す。図３の第１実施形態に対する図５の第２実施形態の差異点は、内部−電源入力端子ＮＣと連結される内部電源線路ＴＨ２５−ＴＤ２５にある。すなわち、内部−電源入力端子ＮＣと連結される内部電源線路が、ホスト装置１１または２１側の予備端子ＴＨ１４（図１または図２）と、ディスプレイ装置１２または２２側の予備端子ＴＤ１４（図１または図２）との間に連結される予備線路である。ここで、ディスプレイ装置１２または２２側の予備端子ＴＤ１４を介して、＋５Ｖの内部−電源電圧が予備線路ＮＣに印加される。
【００３８】
図６は、本発明の第３実施形態による、図１または図２のホスト装置１１または２１と、ディスプレイ装置１２または２２との間に介在される送受信補強装置としての光ケーブルモジュールを示している。図６で、図３と同じ参照符号は、同じ機能の対象を示す。図６で、第１電源供給スイッチング部６１２及び第２電源供給スイッチング部６２２の内部回路は、図４を参照して説明したところと同一である。図３の第１実施形態に対する図６の第３実施形態の差異点のみについて説明すれば、次の通りである。
【００３９】
本発明の第３実施形態のデジタル映像システム内の送受信補強装置は、光ケーブルＴＨ１５−ＴＤ１５ないしＴＨ１８−ＴＤ１８、送信部６１及び受信部６２を含んだ光ケーブルモジュールである。
【００４０】
送信部６１は、第１電源供給スイッチング部６１２から電源電圧Ｖｃｃを供給されて動作し、ホスト装置１１または２１からの８チャンネルのデジタル映像データＳＲ＋ないしＣＬＫ−を、発光駆動部６１１によって４チャンネルの光信号ＳＲないしＣＬＫに変換して光ケーブルＴＨ１５−ＴＤ１５ないしＴＨ１８−ＴＤ１８に出力し、ホスト装置１１または２１からのＩ２Ｃ通信用クロック信号ＳＣＬ並びにＩ２Ｃ通信用データＳＤＡをＩ２Ｃバッファ６１３によってバッファリングし、電気ケーブルＴＨ１９−ＴＤ１９及びＴＨ２０−ＴＤ２０に出力し、電気ケーブルＴＨ２０−ＴＤ２０からのＩ２Ｃ通信用データＳＤＡをバッファリングし、ホスト装置１１または２１に提供する。
【００４１】
受信部６２は、第２電源供給スイッチング部６２２から電源電圧Ｖｃｃを供給されて動作し、光ケーブルＴＨ１５−ＴＤ１５ないしＴＨ１８−ＴＤ１８からの４チャンネルの光信号ＳＲないしＣＬＫを受光増幅部６２１によって、８チャンネルのデジタル映像データＳＲ＋ないしＣＬＫ−に変換してディスプレイ装置１２または２２に提供し、電気ケーブルＴＨ２０−ＴＤ２０からのＩ２Ｃ通信用クロック信号ＳＣＬ並びにＩ２Ｃ通信用データＳＤＡを、Ｉ２Ｃバッファ６２３によってバッファリングしてディスプレイ装置１２または２２に提供し、ディスプレイ装置１２または２２からのＩ２Ｃ通信用データＳＤＡを、Ｉ２Ｃバッファ６２３によってバッファリングして電気ケーブルＴＨ２０−ＴＤ２０に出力する。
【００４２】
図７は、本発明の第４実施形態による、図１または図２のホスト装置１１または２１と、ディスプレイ装置１２または２２との間に介在される送受信補強装置としてのリピータ（repeater）を示している。図７で、図３と同じ参照符号は、同じ機能の対象を示す。図７で、第１電源供給スイッチング部７１２及び第２電源供給スイッチング部７２２の内部回路は、図４を参照して説明したところと同一である。図３の第１実施形態に対する図７の第４実施形態の差異点のみについて説明すれば、次の通りである。
【００４３】
本発明の第４実施形態のデジタル映像システム内の送受信補強装置としてのリピータは、送信部７１及び受信部７２を含む。
【００４４】
送信部７１は、第１電源供給スイッチング部７１２から電源電圧Ｖｃｃを供給されて動作し、ホスト装置１１または２１からの８チャンネルのデジタル映像データＳＲ＋ないしＣＬＫ−を、ＴＭＤＳ増幅部７１１によって増幅して電気ケーブルＴＨ１５−ＴＤ１５ないしＴＨ１８−ＴＤ１８に出力し、ホスト装置１１または２１からのＩ２Ｃ通信クロック信号ＳＣＬ並びにＩ２Ｃ通信データＳＤＡを、Ｉ２Ｃバッファ７１３によってバッファリングして電気ケーブルＴＨ１９−ＴＤ１９及びＴＨ２０−ＴＤ２０に出力し、電気ケーブルＴＨ２０−ＴＤ２０からのＩ２Ｃ通信用データＳＤＡを、Ｉ２Ｃバッファ７１３によってバッファリングしてホスト装置１１または２１に提供する。
【００４５】
受信部７２は、第２電源供給スイッチング部７２２から電源電圧Ｖｃｃを供給されて動作し、電気ケーブルＴＨ１５−ＴＤ１５ないしＴＨ１８−ＴＤ１８からのデジタル映像データＳＲ＋ないしＣＬＫ−を、ＴＭＤＳ制限増幅部７２１によって制限的に増幅してディスプレイ装置１２または２２に提供し、電気ケーブルＴＨ１９−ＴＤ１９及びＴＨ２０−ＴＤ２０からのＩ２Ｃ通信クロック信号ＳＣＬ並びにＩ２Ｃ通信データＳＤＡを、Ｉ２Ｃバッファ７２３によってバッファリングしてディスプレイ装置１２または２２に提供し、ディスプレイ装置１２または２２からのＩ２Ｃ通信データＳＤＡを、Ｉ２Ｃバッファ７２３によってバッファリングして電気ケーブルＴＨ２０−ＴＤ２０に出力する。
【００４６】
図８は、本発明の第５実施形態による、図１または図２のホスト装置１１または２１と、ディスプレイ装置１２または２２との間に介在される送受信補強装置としてのイコライザ（equalizer）装置を示している。図８で、図３と同じ参照符号は、同じ機能の対象を示す。図８で、電源供給スイッチング部８２２の内部回路は、図４を参照して説明したところと同一である。図３の第１実施形態に対する図８の第５実施形態の差異点のみについて説明すれば、次の通りである。
【００４７】
本発明の第５実施形態のデジタル映像システム内の送受信補強装置としてのイコライザ装置は、第２電源供給スイッチング部８２２から電源電圧Ｖｃｃを供給されて動作し、ＴＭＤＳイコライザ８２１によって、電気ケーブルからのデジタル映像データＳＲ＋ないしＣＬＫ−の減衰された信号を復元してディスプレイ装置１２または２２に提供し、Ｉ２Ｃバッファ８２３によって、電気ケーブルからのＩ２Ｃ通信用クロック信号ＳＣＬ並びにＩ２Ｃ通信用データＳＤＡをバッファリングしてディスプレイ装置１２または２２に提供し、Ｉ２Ｃバッファ８２３によって、ディスプレイ装置１２または２２からのＩ２Ｃ通信用データＳＤＡをバッファリングして電気ケーブルに出力する。
【図１】
2010516075.tif 000003
【図２】
2010516075.tif 000004
【図３】
2010516075.tif 000005
【図４】
2010516075.tif 000006
【図５】
2010516075.tif 000007
【図６】
2010516075.tif 000008
【図７】
2010516075.tif 000009
【図８】
2010516075.tif 000010
【国際調査報告】
2010516075.tif 000011
2010516075.tif 000012